(57)【要約】  ステータ（３）は、ステータコア（３１）と、ステータコア（３１）に波巻で固定された複数のセグメントコイル（３２）とを有する。ステータコア（３１）は、第１ティース（３４１）と第１ティース（３４１）に隣接する第２ティース（３４２）とを有する。第１ティース（３４１）は、第１本体部（３４１ａ）と、第１先端部（３４１ｂ）とを有する。第２ティース（３４２）は、第２本体部（３４２ａ）と、第２先端部（３４２ｂ）とを有する。第１本体部（３４１ａ）の外側端部の中心（Ｃ１）及び軸線（Ａｘ）を通る直線をＬ１とし、第２本体部（３４２ａ）の外側端部の中心（Ｃ２）及び軸線（Ａｘ）を通る直線をＬ２とし、第１先端部（３４１ｂ）と第２先端部（３４２ｂ）との間の中心（Ｃ３）と軸線（Ａｘ）とを通る直線をＬ３とし、直線Ｌ１と直線Ｌ３との間の角度をθ１とし、直線Ｌ２と直線Ｌ３との間の角度をθ２としたとき、ステータ（３）は、θ１＞θ２を満たす。
2020026431.tif 000002
【特許請求の範囲】
【請求項１】
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットは、前記ロータの磁極数の６倍であり、
前記軸線と直交する平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
ステータ。
【請求項２】
前記平面において、前記第１先端部及び前記第２先端部の形状は、非対称的である請求項１に記載のステータ。
【請求項３】
前記平面において、前記ロータの回転方向における前記第１先端部の下流側は、前記回転方向における前記第１先端部の上流側よりも長く、前記回転方向における前記第２先端部の下流側は、前記回転方向における前記第２先端部の上流側よりも長い請求項１又は２に記載のステータ。
【請求項４】
前記ステータコアは、前記ステータコアの外周面に形成された凹部を有する請求項１から３のいずれか１項に記載のステータ。
【請求項５】
前記ステータコアは、軸方向に延在する複数の孔を有する請求項１から４のいずれか１項に記載のステータ。
【請求項６】
前記ステータコアは、前記平面において、最大半径と前記最大半径よりも小さい半径とを持つ請求項１から５のいずれか１項に記載のモータ。
【請求項７】
ステータと、
前記ステータの内側に配置されたロータと
を備え、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットは、前記ロータの磁極数の６倍であり、
前記軸線と直交する平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
モータ。
【請求項８】
前記ロータは、軸方向に延在する孔を持つロータコアを有し、
前記ロータコアの直径をφとし、前記平面において前記軸線から前記孔の中心までの距離をｒとしたとき、φ／４≦ｒを満たす
請求項７に記載のモータ。
【請求項９】
前記ステータコアは、前記ステータコアの外周面に形成された凹部を有する請求項７又は８に記載のモータ。
【請求項１０】
モータと、
前記モータによって駆動される圧縮機構と、
前記モータ及び前記圧縮機構を覆うハウジングと
を備え、
前記モータは、
ステータと、
前記ステータの内側に配置されたロータと
を有し、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を有し、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットは、前記ロータの磁極数の６倍であり、
前記軸線と直交する平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
圧縮機。
【請求項１１】
室内機と、
前記室内機に接続された室外機と
を有し、
前記室内機及び前記室外機の少なくとも１つはモータを有し、
前記モータは、
ステータと、
前記ステータの内側に配置されたロータと
を有し、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を有し、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットは、前記ロータの磁極数の６倍であり、
前記軸線と直交する平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
冷凍空調装置。
【発明の詳細な説明】
【技術分野】
【０００１】
本発明は、モータのステータに関する。
【背景技術】
【０００２】
一般に、モータのステータに固定されるコイルとして、銅線又はアルミニウム線などの巻線を用いて分布巻又は集中巻で形成されたコイルが用いられている。このようなコイルの製造工程では、ステータコアのティースに巻線を巻回するために、ティース間に大きなスペースが必要である。そのため、分布巻又は集中巻で形成されたコイルを有するモータは大型化しやすい。そこで、複数の導体（セグメントコイル又は導体セグメントともいう）を組み合わせて形成されたコイルが提案されている（例えば、特許文献１参照）。このような複数の導体を組み合わせて形成されたコイルを用いた場合、そのコイルをステータコアのスロットに嵌め込むことが容易であるので、ステータ及びモータを小型化しやすいという利点がある。
【先行技術文献】
【特許文献】
【０００３】
【特許文献１】特開２０１７−９３０９７号公報
【発明の概要】
【発明が解決しようとする課題】
【０００４】
しかしながら、小型化されたステータを有するモータにおいて、モータの回転数を増加させる場合、コイルに供給される電流が増大し、銅損が生じる。さらに、モータの回転数を増加させる場合、その電流の周波数が高くなるため、ステータコアにおける鉄損が増加するという問題がある。したがって、従来の技術では、ステータを小型化するとともに、ステータにおける鉄損及び銅損を低減することは困難である。【０００５】
本発明の目的は、ステータを小型化するとともに、ステータにおける鉄損及び銅損を低減することである。
【課題を解決するための手段】
【０００６】
本発明のステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットは、前記ロータの磁極数の６倍であり、
前記軸線と直交する平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす。
【発明の効果】
【０００７】
本発明によれば、ステータを小型化することができるとともに、ステータにおける鉄損及び銅損を低減することができる。
【図面の簡単な説明】
【０００８】
【図１】本発明の実施の形態１に係るモータの構造を概略的に示す断面図である。
【図２】ロータコアの構造を概略的に示す平面図である。
【図３】複数のセグメントコイルで形成されたコイルの構造を概略的に示す斜視図である。
【図４】１つのセグメントコイルを概略的に示す斜視図である。
【図５】ステータコアの構造を概略的に示す平面図である。
【図６】図５に示されるティースの構造を概略的に示す拡大図である。
【図７】比較例としてのモータにおけるステータのティースの構造を概略的に示す図である。
【図８】図７に示されるティースを持つモータにおける磁束の流れを示す図である。
【図９】図７に示されるティースの先端部における磁束密度を示す図である。
【図１０】実施の形態１に係るモータのティースの先端部における磁束密度を示す図である。
【図１１】実施の形態２に係る圧縮機の構造を概略的に示す断面図である。
【図１２】実施の形態３に係る空気調和機の構成を概略的に示す図である。
【発明を実施するための形態】
【０００９】
実施の形態１．
各図に示されるｘｙｚ直交座標系において、ｚ軸方向（ｚ軸）は、モータ１の軸線Ａｘと平行な方向を示し、ｘ軸方向（ｘ軸）は、ｚ軸方向（ｚ軸）に直交する方向を示し、ｙ軸方向（ｙ軸）は、ｚ軸方向及びｘ軸方向の両方に直交する方向を示す。軸線Ａｘはロータ２の回転中心である。軸線Ａｘと平行な方向は、「ロータ２の軸方向」又は単に「軸方向」ともいう。径方向は、軸線Ａｘと直交する方向である。ｘｙ平面は、軸方向と直交する平面である。
【００１０】
図１は、本発明の実施の形態１に係るモータ１の構造を概略的に示す断面図である。矢印Ｄ１は、軸線Ａｘを中心とするステータ３の周方向を示す。矢印Ｄ１は、軸線Ａｘを中心とするロータ２の周方向も示す。ロータ２及びステータ３の周方向は、単に「周方向」ともいう。Ｄ１で示される矢印の内の矢印Ｄ１１は、ロータ２の回転方向を示す。Ｄ１で示される矢印の内の矢印Ｄ１２は、ロータ２の回転方向の逆方向を示す。
【００１１】
モータ１は、ロータ２と、ステータ３とを有する。図１に示されるように、モータ１は、ステータ３を覆うハウジング４を有してもよい。
【００１２】
本実施の形態では、モータ１は、例えば、３相モータである。具体的には、モータ１は、永久磁石埋込型モータなどの永久磁石同期モータ（ブラシレスＤＣモータともいう）である。
【００１３】
ロータ２は、ステータ３の内側に回転可能に配置されている。ロータ２とステータ３との間には、エアギャップが形成されている。ロータ２は、軸線Ａｘを中心として回転する。ロータ２は、ロータコア２１と、少なくとも１つの永久磁石２２と、シャフト２６とを有する。
【００１４】
図２は、ロータコア２１の構造を概略的に示す平面図である。
ロータコア２１は、例えば、軸方向に積層された円環状の電磁鋼板で形成される。したがって、ロータコア２１は、ｘｙ平面において円環状である。
【００１５】
ロータコア２１は、複数の磁石挿入孔２１１と、シャフト挿入孔２１２と、少なくとも１つの孔２１３とを持つ。さらに、ロータコア２１は、径方向における各磁石挿入孔２１１の外側に形成された少なくとも１つのスリット２１４を有してもよい。
【００１６】
例えば、複数の磁石挿入孔２１１は、周方向に配列されている。各磁石挿入孔２１１には、少なくとも１つの永久磁石２２が挿入されている。各磁石挿入孔２１１は、ロータコア２１を軸方向に貫通している。
【００１７】
図２に示される例では、６つの磁石挿入孔２１１が周方向に配列されている。本実施の形態では、各磁石挿入孔２１１に１つの永久磁石２２が挿入される。したがって、ロータ２は、６つの永久磁石２２を持つ。各磁石挿入孔２１１に挿入される少なくとも１つの永久磁石２２は、ロータ２の１つの磁極を形成する。したがって、本実施の形態では、ロータ２は６つの磁極を持つ。
【００１８】
各永久磁石２２は、例えば、Ｎｄ（ネオジム）及びＤｙ（ジスプロシウム）を含む平板状の希土類焼結磁石である。希土類磁石は、残留磁束密度及び保磁力が高い。したがって、ロータ２における減磁に対する耐力を向上させることができ、これにより、高効率なモータ１を提供することができる。
【００１９】
シャフト挿入孔２１２は、ｘｙ平面においてロータコア２１の中央に形成されている。シャフト挿入孔２１２には、シャフト２６が挿入される。
【００２０】
各孔２１３は、軸方向に延在している。ｘｙ平面において、各孔２１３は、円形である。例えば、モータ１が圧縮機の駆動源として用いられるとき、各孔２１３は、圧縮機内において、冷媒が通り抜ける貫通孔として用いられる。
【００２１】
ロータコア２１の直径Ｒ１をφとし、ｘｙ平面において軸線Ａｘから孔２１３の中心までの距離をｒとしたとき、直径φ及び距離ｒの関係は、φ／４≦ｒを満たす。軸線Ａｘから、複数の孔２１３のうちの少なくとも１つの孔２１３の中心までの距離ｒがφ／４以上であればよい。これにより、少なくとも１つの孔２１３を、永久磁石２２の近くに配置することができるので、永久磁石２２を効果的に冷却することができる。
【００２２】
図２に示される例では、全ての孔２１３に関し、軸線Ａｘから、各孔２１３の中心までの距離ｒがφ／４以上である。図２において、破線で示される円の半径Ｒ２は、φ／４である。すなわち、図２において、全ての孔２１３の中心は、破線で示されている半径Ｒ２の円の外側に位置する。これにより、永久磁石２２をより効果的に冷却することができる。
【００２３】
ステータ３は、ロータ２の外側に配置されている。ステータ３は、ステータコア３１と、複数のセグメントコイル３２とを有する。図１に示される例では、ステータコア３１からコイル３３（すなわち、複数のセグメントコイル３２）が外されている。
【００２４】
図３は、複数のセグメントコイル３２で形成されたコイル３０の構造を概略的に示す斜視図である。
図４は、１つのセグメントコイル３２を概略的に示す斜視図である。
コイル３０は、複数のセグメントコイル３２で構成されている。複数のセグメントコイル３２は、ステータコア３１に波巻で固定されている。これにより、コイル３０が形成されている。すなわち、ステータ３は、複数のセグメントコイル３２で構成されたコイル３０を有する。
【００２５】
各セグメントコイル３２は、軸方向に延在する第１部分３２ａと、軸方向におけるコイル３０の端部に位置する第２部分３２ｂとを有する。第１部分３２ａは、互いに隣接するティース３４間のスロット３３内に挿入される。第２部分３２ｂは、コイル３０のコイルエンドを形成する。
【００２６】
各セグメントコイル３２は、例えば、銅又はアルミニウムなどの導体と、この導体の周りに巻かれた絶縁被膜とで構成されている。各セグメントコイル３２は、耐冷媒性を持つ。複数のセグメントコイル３２は、溶接で互いに接続されている。各セグメントコイル３２の断面は、例えば、円形又は四角形である。
【００２７】
図５は、ステータコア３１の構造を概略的に示す平面図である。
ステータコア３１は、周方向に延在するヨーク３５と、ヨーク３５から径方向に延在する複数のティース３４と、複数のスロット３３とを有する。
【００２８】
ステータコア３１は、さらに、ステータコア３１の外周面に形成された少なくとも１つの凹部３７と、軸方向に延在する複数の孔３６とを有する。
【００２９】
ｘｙ平面において、ステータコア３１は、最大半径Ｒａと、最大半径Ｒａよりも小さい半径Ｒｂとを持つ。これにより、図１に示されるように、ステータ３（具体的には、ステータコア３１の凹部３７）とハウジング４との間に空隙５が形成されている。図１に示される例では、ステータ３とハウジング４との間に６つの空隙５が形成されている。
【００３０】
ｘｙ平面において、半径Ｒｂは、軸線Ａｘから凹部３７までの最短距離である。図５に示される例では、凹部３７は、直線状に形成されているが、ｘｙ平面において凹部３７は、円弧状又は角形でもよい。各孔３６は、軸方向に延在する。
【００３１】
複数のスロット３３は、複数のティース３４のそれぞれに隣接する。複数のスロット３３は、ロータ２の磁極数の６倍である。言い換えると、スロット３３の数は、ロータ２の磁極の数の６倍である。本実施の形態では、スロット３３の数は、３６であり、ロータ２の磁極の数は、６である。
【００３２】
ステータコア３１は、例えば、軸方向に積層された円環状の電磁鋼板で形成される。したがって、ステータコア３１は、ｘｙ平面において円環状である。各電磁鋼板は、予め定められた形状に打ち抜かれている。各電磁鋼板の厚みは、例えば、０．２５ｍｍから０．５ｍｍである。電磁鋼板は、互いにカシメで固定されている。
【００３３】
例えば、モータ１が圧縮機の駆動源として用いられるとき、各空隙５及び各孔３６は、圧縮機内において、冷媒が通り抜ける流路として用いられる。これにより、圧縮機内において、モータ１を効果的に冷却することができる。
【００３４】
図６は、図５に示されるティース３４の構造を概略的に示す拡大図である。
図６に示されるように、複数のティース３４の内の１つのティースを第１ティース３４１としたとき、第１ティース３４１に隣接する、複数のティース３４の内の１つのティースを第２ティース３４２とする。図６に示される例では、第２ティース３４２は、回転方向Ｄ１１における第１ティース３４１の下流側に位置する。
【００３５】
第１ティース３４１は、第１本体部３４１ａと、第１先端部３４１ｂとを有する。ｘｙ平面において、第１本体部３４１ａは、ヨーク３５から径方向（第１径方向Ｄａともいう）に延在する。すなわち、第１本体部３４１ａは、ヨーク３５から径方向内側に延在する。第１先端部３４１ｂは、径方向における第１本体部３４１ａの内側に位置し、周方向に延在する。
【００３６】
第２ティース３４２は、第２本体部３４２ａと、第２先端部３４２ｂとを有する。ｘｙ平面において、第２本体部３４２ａは、ヨーク３５から径方向（第２径方向Ｄｂともいう）に延在する。すなわち、第２本体部３４２ａは、ヨーク３５から径方向内側に延在する。第２先端部３４２ｂは、径方向における第２本体部３４２ａの内側に位置し、周方向に延在する。
【００３７】
各ティース３４において、第１本体部３４１ａ及び第２本体部３４２ａに相当する部分を単に「本体部」ともいう。同様に、各ティース３４において、第１先端部３４１ｂ及び第２先端部３４２ｂに相当する部分を単に「先端部」ともいう。
【００３８】
図６において、直線Ｌ１は、ｘｙ平面において第１径方向Ｄａにおける第１本体部３４１ａの外側端部の中心Ｃ１及び軸線Ａｘを通る直線である。より具体的には、中心Ｃ１は、ｘｙ平面における第１本体部３４１ａの外側端部の幅Ｗ１の中心である。直線Ｌ１は、ｘｙ平面において第１径方向Ｄａにおける第１本体部３４１ａの内側端部の中心Ｃ３及び軸線Ａｘを通る直線でもよい。この場合、中心Ｃ３は、ｘｙ平面における第１本体部３４１ａの内側端部の幅Ｗ３の中心である。
【００３９】
直線Ｌ２は、ｘｙ平面において第２径方向Ｄｂにおける第２本体部３４２ａの外側端部の中心Ｃ２及び軸線Ａｘを通る直線である。直線Ｌ２は、ｘｙ平面において第２径方向Ｄｂにおける第２本体部３４２ａの内側端部の中心Ｃ４及び軸線Ａｘを通る直線でもよい。この場合、中心Ｃ４は、ｘｙ平面における第２本体部３４２ａの内側端部の幅Ｗ４の中心である。
【００４０】
直線Ｌ３は、ｘｙ平面において第１先端部３４１ｂと第２先端部３４２ｂとの間の中心Ｃ５と軸線Ａｘとを通る直線である。
【００４１】
図６において、角度θ１は、ｘｙ平面において直線Ｌ１と直線Ｌ３との間の角度である。角度θ２は、ｘｙ平面において直線Ｌ２と直線Ｌ３との間の角度である。この場合において、ステータ３は、θ１＞θ２を満たす。
【００４２】
ｘｙ平面において、第１先端部３４１ｂの形状は非対称的である。具体的には、図６に示されるように、第１先端部３４１ｂの内の直線Ｌ１から回転方向Ｄ１１における下流側に延在する部分が、直線Ｌ１から回転方向Ｄ１１における上流側に延在する部分よりも長い。言い換えると、ｘｙ平面において、回転方向Ｄ１１における第１先端部３４１ｂの下流側は、回転方向Ｄ１１における第１先端部３４１ｂの上流側よりも長い。
【００４３】
同様に、ｘｙ平面において、第２先端部３４２ｂの形状は非対称的である。具体的には、図６に示されるように、第２先端部３４２ｂの内の直線Ｌ２から回転方向Ｄ１１における下流側に延在する部分が、直線Ｌ２から回転方向Ｄ１１における上流側に延在する部分よりも長い。言い換えると、ｘｙ平面において、回転方向Ｄ１１における第２先端部３４２ｂの下流側は、回転方向Ｄ１１における第２先端部３４２ｂの上流側よりも長い。
【００４４】
これにより、角度θ１及びθ２の関係は、θ１＞θ２を満たす。
【００４５】
ステータ３の効果について説明する。
【００４６】
ステータ３のコイル３０は、複数のセグメントコイル３２で形成されている。ステータ３の製造工程において、これらのセグメントコイル３２をスロット３３に挿入し、溶接でこれらのセグメントコイル３２が固定される。したがって、銅線又はアルミニウム線などの導線をティースに巻回する方法に比べて、ステータコア３１の形状に関わらずコイル３０を容易に形成することができる。
【００４７】
さらに、巻線を同心状に巻回する方法に比べて、波巻でコイル３０を形成する方法では、互いに隣接するティース３４の先端部間の領域、すなわち、スロットオープニングの大きさの自由度が高い。具体的には、巻線を同心状に巻回する方法では、スロットオープニングの周方向における幅を、１つの巻線の直径よりも大きくする必要がある。一方、波巻で複数のセグメントコイル３２をステータコア３１に固定する方法では、これらのセグメントコイル３２を軸方向にスロット３３に挿入することができる。したがって、ステータ３では、スロットオープニングの周方向における幅を小さくすることができ、これにより、モータ特性を改善することができる。
【００４８】
さらに、巻線を同心状に巻回する方法に比べて、波巻でコイル３０を形成する方法では、コイル３０の密度を高めることができる。これにより、モータ１の効率を高めることができるとともに、モータ１を小型化することができる。すなわち、波巻で固定された複数のセグメントコイル３２を用いることにより、ステータ３を小型化することができ、これにより、モータ１を小型化することができる。
【００４９】
図７は、比較例としてのモータにおけるステータのティース３４ａの構造を概略的に示す図である。
図７に示されるステータのティース３４ａのｘｙ平面における形状は対称的である。すなわち、ｘｙ平面において、回転方向Ｄ１１における先端部の上流側の形状及び下流側の形状は、互いに同じである。したがって、図７に示される比較例において、角度θ１及びθ２は互いに等しい。
【００５０】
図８は、図７に示されるティース３４ａを持つモータにおける磁束の流れを示す図である。
矢印Ｆ１及びＦ２（それぞれ磁束Ｆ１及びＦ２ともいう）は、ある瞬間におけるコイル３０ａ及び３０ｂに流れる電流（電機子電流ともいう）によって生じる磁束の向きをそれぞれ示す。矢印Ｆ３は、永久磁石２２からの磁束の向きを示す。図８に示される例では、電機子電流の位相と誘起電圧の位相とが互いに同じである。
【００５１】
図９は、図７に示されるティース３４ａの先端部における磁束密度を示す図である。
図８及び図９に示されるように、回転方向Ｄ１１におけるティース３４ａの先端部の下流側では、磁束Ｆ２の向きと磁束Ｆ３の向きとが互いに逆向きであるので、磁束密度が低下する。一方、回転方向Ｄ１１におけるティース３４ａの先端部の上流側では、磁束Ｆ１の向きと磁束Ｆ３の向きとが互いに同じであるので、磁束密度が上昇し、これにより磁気飽和を引き起こす。この現象は、「交さ磁化作用」と呼ばれ、電機子反作用によって生じる。この現象が生じると、ティース３４ａの先端部の上流側において、磁気飽和が発生しやすくなり、これにより鉄損が増加しやすい。したがって、比較例に係るモータのステータでは、鉄損が増加しやすい。
【００５２】
図１０は、本実施の形態に係るモータ１のティース３４の先端部における磁束密度を示す図である。
本実施の形態では、角度θ１及びθ２の関係がθ１＞θ２を満たす。これにより、ティース３４の先端部の上流側における磁気抵抗が大きくなり、磁気飽和が低減される。その結果、図１０に示されるように、回転方向Ｄ１１におけるティース３４の先端部の上流側で生じる鉄損を低減することができる。さらに、ティース３４の先端部の上流側において磁気飽和が低減されることにより、磁束がティース３４の先端部の上流側を通りやすくなる。その結果、有効磁力が増加し、銅損を低減することができるという効果も得ることができる。
【００５３】
上述のように、本実施の形態に係るモータ１によれば、ステータを小型化することができるとともに、ステータにおける鉄損及び銅損を低減することができる。
【００５４】
実施の形態１に係るモータ１は、ステータ３を有するので、モータ１において上述のステータ３の効果と同じ効果が得られる。
【００５５】
実施の形態２．
本発明の実施の形態２に係る圧縮機６について説明する。
図１１は、実施の形態２に係る圧縮機６の構造を概略的に示す断面図である。
【００５６】
圧縮機６は、電動要素としてのモータ６０と、ハウジングとしての密閉容器６１と、圧縮要素としての圧縮機構６２とを有する。本実施の形態では、圧縮機６は、ロータリー圧縮機である。ただし、圧縮機６は、ロータリー圧縮機に限定されない。
【００５７】
モータ６０は、実施の形態１に係るモータ１である。本実施の形態では、モータ６０は、永久磁石埋込型モータであるが、これに限定されない。
【００５８】
密閉容器６１は、モータ６０及び圧縮機構６２を覆う。密閉容器６１の底部には、圧縮機構６２の摺動部分を潤滑する冷凍機油が貯留されている。
【００５９】
圧縮機６は、さらに、密閉容器６１に固定されたガラス端子６３と、アキュムレータ６４と、吸入パイプ６５と、吐出パイプ６６とを有する。
【００６０】
圧縮機構６２は、シリンダ６２ａと、ピストン６２ｂと、上部フレーム６２ｃ（第１のフレーム）と、下部フレーム６２ｄ（第２のフレーム）と、上部フレーム６２ｃ及び下部フレーム６２ｄにそれぞれ取り付けられた複数のマフラ６２ｅとを有する。圧縮機構６２は、さらに、シリンダ６２ａ内を吸入側と圧縮側とに分けるベーンを有する。圧縮機構６２は、モータ６０によって駆動される。
【００６１】
モータ６０は、圧入又は焼き嵌めで密閉容器６１内に固定されている。圧入及び焼き嵌めの代わりに溶接でステータ３を密閉容器６１に直接取り付けてもよい。
【００６２】
モータ６０のステータ３の巻線には、ガラス端子６３を介して電力が供給される。
【００６３】
モータ６０のロータ（具体的には、シャフト２６の一端側）は、上部フレーム６２ｃ及び下部フレーム６２ｄの各々に備えられた軸受けによって回転自在に支持されている。
【００６４】
ピストン６２ｂには、シャフト２６が挿通されている。上部フレーム６２ｃ及び下部フレーム６２ｄには、シャフト２６が回転自在に挿通されている。上部フレーム６２ｃ及び下部フレーム６２ｄは、シリンダ６２ａの端面を閉塞する。アキュムレータ６４は、吸入パイプ６５を介して冷媒（例えば、冷媒ガス）をシリンダ６２ａに供給する。
【００６５】
次に、圧縮機６の動作について説明する。アキュムレータ６４から供給された冷媒は、密閉容器６１に固定された吸入パイプ６５からシリンダ６２ａ内へ吸入される。インバータの通電によってモータ６０が回転することにより、シャフト２６に嵌合されたピストン６２ｂがシリンダ６２ａ内で回転する。これにより、シリンダ６２ａ内で冷媒の圧縮が行われる。
【００６６】
冷媒は、マフラ６２ｅを通り、密閉容器６１内を上昇する。圧縮された冷媒には、冷凍機油が混入されている。冷媒と冷凍機油との混合物は、ロータコアに形成された孔を通過する際に、冷媒と冷凍機油との分離が促進され、これにより、冷凍機油が吐出パイプ６６へ流入するのを防止できる。このようにして、圧縮された冷媒が、吐出パイプ６６を通って冷凍サイクルの高圧側へと供給される。
【００６７】
圧縮機６の冷媒として、Ｒ４１０Ａ、Ｒ４０７Ｃ、又はＲ２２等を用いることができる。ただし、圧縮機６の冷媒は、これらに限られない。例えば、圧縮機６の冷媒として、ＧＷＰ（地球温暖化係数）が小さい冷媒等を用いることができる。
【００６８】
ＧＷＰが小さい冷媒の代表例として、以下の冷媒がある。
【００６９】
（１）組成中に炭素の二重結合を有するハロゲン化炭化水素は、例えば、ＨＦＯ−１２３４ｙｆ（ＣＦ３ＣＦ＝ＣＨ２）である。ＨＦＯは、Ｈｙｄｒｏ−Ｆｌｕｏｒｏ−Ｏｌｅｆｉｎの略称である。Ｏｌｅｆｉｎは、二重結合を１つ持つ不飽和炭化水素のことである。ＨＦＯ−１２３４ｙｆのＧＷＰは、４である。
【００７０】
（２）組成中に炭素の二重結合を有する炭化水素は、例えば、Ｒ１２７０（プロピレン）である。Ｒ１２７０のＧＷＰは３であり、ＨＦＯ−１２３４ｙｆのＧＷＰよりも小さいが、Ｒ１２７０の可燃性は、ＨＦＯ−１２３４ｙｆの可燃性よりもよい。
【００７１】
（３）組成中に炭素の二重結合を有するハロゲン化炭化水素及び組成中に炭素の二重結合を有する炭化水素の少なくとも１つを含む混合物は、例えば、ＨＦＯ−１２３４ｙｆとＲ３２との混合物である。ＨＦＯ−１２３４ｙｆは、低圧冷媒のため、圧損が大きくなり、冷凍サイクル（特に、蒸発器において）の性能が低下しやすい。そのため、高圧冷媒であるＲ３２又はＲ４１等との混合物を使用することが望ましい。
【００７２】
実施の形態２に係る圧縮機６によれば、実施の形態１で説明した効果を有する。
【００７３】
さらに、モータ６０として実施の形態１に係るモータ１を用いることにより、モータ６０の効率を改善することができ、その結果、圧縮機６の効率を改善することができる。
【００７４】
実施の形態３．
本発明の実施の形態３に係る空気調和機５０（冷凍空調装置又は冷凍サイクル装置ともいう）について説明する。
図１２は、実施の形態３に係る空気調和機５０の構成を概略的に示す図である。
【００７５】
実施の形態３に係る空気調和機５０は、送風機（第１の送風機）としての室内機５１と、冷媒配管５２と、冷媒配管５２を介して室内機５１に接続された送風機（第２の送風機）としての室外機５３とを備える。
【００７６】
室内機５１は、モータ５１ａ（例えば、実施の形態１に係るモータ１）と、モータ５１ａによって駆動されることにより、送風する送風部５１ｂと、モータ５１ａ及び送風部５１ｂを覆うハウジング５１ｃとを有する。送風部５１ｂは、例えば、モータ５１ａによって駆動される羽根５１ｄを有する。例えば、羽根５１ｄは、モータ５１ａの軸（例えば、シャフト２６）に固定されており、気流を生成する。
【００７７】
室外機５３は、モータ５３ａ（例えば、実施の形態１に係るモータ１）と、送風部５３ｂと、圧縮機５４と、熱交換器（図示しない）とを有する。送風部５３ｂは、モータ５３ａによって駆動されることにより、送風する。送風部５３ｂは、例えば、モータ５３ａによって駆動される羽根５３ｄを有する。例えば、羽根５３ｄは、モータ５３ａの軸（例えば、シャフト２６）に固定されており、気流を生成する。圧縮機５４は、モータ５４ａ（例えば、実施の形態１に係るモータ１）と、モータ５４ａによって駆動される圧縮機構５４ｂ（例えば、冷媒回路）と、モータ５４ａ及び圧縮機構５４ｂを覆うハウジング５４ｃとを有する。圧縮機５４は、例えば、実施の形態２で説明した圧縮機６である。
【００７８】
空気調和機５０において、室内機５１及び室外機５３の少なくとも１つは、実施の形態１で説明したモータ１を有する。具体的には、送風部の駆動源として、モータ５１ａ及び５３ａの少なくとも一方に、実施の形態１で説明したモータ１が適用される。さらに、圧縮機５４のモータ５４ａとして、実施の形態１で説明したモータ１を用いてもよい。
【００７９】
空気調和機５０は、例えば、室内機５１から冷たい空気を送風する冷房運転、又は温かい空気を送風する暖房運転等の運転を行うことができる。室内機５１において、モータ５１ａは、送風部５１ｂを駆動するための駆動源である。送風部５１ｂは、調整された空気を送風することができる。
【００８０】
実施の形態３に係る空気調和機５０によれば、モータ５１ａ及び５３ａの少なくとも一方に、実施の形態１で説明したモータ１が適用されるので、実施の形態１で説明した効果と同じ効果を得ることができる。これにより、空気調和機５０の効率を改善することができる。
【００８１】
さらに、送風機（例えば、室内機５１）の駆動源として、実施の形態１に係るモータ１を用いることにより、実施の形態１で説明した効果と同じ効果を得ることができる。これにより、送風機の効率を改善することができる。実施の形態１に係るモータ１とモータ１によって駆動される羽根（例えば、羽根５１ｄ又は５３ｄ）とを有する送風機は、送風する装置として単独で用いることができる。この送風機は、空気調和機５０以外の機器にも適用可能である。
【００８２】
さらに、圧縮機５４の駆動源として、実施の形態１に係るモータ１を用いることにより、実施の形態１で説明した効果と同じ効果を得ることができる。これにより、圧縮機５４の効率を改善することができる。
【００８３】
実施の形態１で説明したモータ１は、空気調和機５０以外に、換気扇、家電機器、又は工作機など、駆動源を有する機器に搭載できる。
【００８４】
以上に説明した各実施の形態における特徴は、互いに適宜組み合わせることができる。
【符号の説明】
【００８５】
１，５１ａ，５４ａ，６０  モータ、  ２  ロータ、  ３  ステータ、  ２１  ロータコア、  ２２  永久磁石、  ３１  ステータコア、  ３２  セグメントコイル、  ３３  スロット、  ３４  ティース、  ３５  ヨーク、  ３６，２１３  孔、  ３７  凹部、  ３４１  第１ティース、  ３４１ａ  第１本体部、  ３４１ｂ  第１先端部、  ３４２  第２ティース、  ３４２ａ  第２本体部、  ３４２ｂ  第２先端部。
【図１】
2020026431.tif 000003
【図２】
2020026431.tif 000004
【図３】
2020026431.tif 000005
【図４】
2020026431.tif 000006
【図５】
2020026431.tif 000007
【図６】
2020026431.tif 000008
【図７】
2020026431.tif 000009
【図８】
2020026431.tif 000010
【図９】
2020026431.tif 000011
【図１０】
2020026431.tif 000012
【図１１】
2020026431.tif 000013
【図１２】
2020026431.tif 000014
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットの数は、前記ロータの磁極数の６倍であり、
前記軸線と直交する平面において、前記ロータの回転方向における前記第１先端部の下流側は、前記回転方向における前記第１先端部の上流側よりも長く、
前記平面において、前記回転方向における前記第２先端部の下流側は、前記回転方向における前記第２先端部の上流側よりも長く、
前記平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
θ１＞θ２を満たす
ステータ。
【請求項２】
前記平面において、前記第１先端部の形状は、非対称的であり、
前記平面において、前記第２先端部の形状は、非対称的である
請求項１に記載のステータ。
【請求項３】
前記複数のティースは互いに同じ形状である請求項１又は２に記載のステータ。
【請求項４】
前記ステータコアは、前記ステータコアの外周面に形成された凹部を有する請求項１から３のいずれか１項に記載のステータ。
【請求項５】
前記ステータコアは、軸方向に延在する複数の孔を有する請求項１から４のいずれか１項に記載のステータ。
【請求項６】
前記ステータコアは、前記平面において、最大半径と前記最大半径よりも小さい半径とを持つ請求項１から５のいずれか１項に記載のモータ。
【請求項７】
ステータと、
前記ステータの内側に配置されたロータと
を備え、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットの数は、前記ロータの磁極数の６倍であり、
前記軸線と直交する平面において、前記ロータの回転方向における前記第１先端部の下流側は、前記回転方向における前記第１先端部の上流側よりも長く、
前記平面において、前記回転方向における前記第２先端部の下流側は、前記回転方向における前記第２先端部の上流側よりも長く、
前記平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
モータ。
【請求項８】
前記ロータは、軸方向に延在する孔を持つロータコアを有し、
前記ロータコアの直径をφとし、前記平面において前記軸線から前記孔の中心までの距離をｒとしたとき、φ／４≦ｒを満たす
請求項７に記載のモータ。
【請求項９】
前記ステータコアは、前記ステータコアの外周面に形成された凹部を有する請求項７又は８に記載のモータ。
【請求項１０】
モータと、
前記モータによって駆動される圧縮機構と、
前記モータ及び前記圧縮機構を覆うハウジングと
を備え、
前記モータは、
ステータと、
前記ステータの内側に配置されたロータと
を有し、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を有し、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットの数は、前記ロータの磁極数の６倍であり、
前記軸線と直交する平面において、前記ロータの回転方向における前記第１先端部の下流側は、前記回転方向における前記第１先端部の上流側よりも長く、
前記平面において、前記回転方向における前記第２先端部の下流側は、前記回転方向における前記第２先端部の上流側よりも長く、
前記平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
圧縮機。
【請求項１１】
室内機と、
前記室内機に接続された室外機と
を有し、
前記室内機及び前記室外機の少なくとも１つはモータを有し、
前記モータは、
ステータと、
前記ステータの内側に配置されたロータと
を有し、
前記ステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を有し、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットの数は、前記ロータの磁極数の６倍であり、
前記軸線と直交する平面において、前記ロータの回転方向における前記第１先端部の下流側は、前記回転方向における前記第１先端部の上流側よりも長く、
前記平面において、前記回転方向における前記第２先端部の下流側は、前記回転方向における前記第２先端部の上流側よりも長く、
前記平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
前記ステータは、θ１＞θ２を満たす
冷凍空調装置。
【手続補正２】
【補正対象書類名】明細書
【補正対象項目名】０００６
【補正方法】変更
【補正の内容】
【０００６】
本発明のステータは、
軸線を中心として回転するロータの外側に配置されるステータであって、
複数のティースと前記複数のティースにそれぞれ隣接する複数のスロットとを有するステータコアと、
前記ステータコアに波巻で固定された複数のセグメントコイルと
を備え、
前記ステータコアは、
第１径方向に延在する第１本体部と、前記第１径方向における前記第１本体部の内側に位置し、周方向に延在する第１先端部とを有する、前記複数のティースの内の第１ティースと、
第２径方向に延在する第２本体部と、前記第２径方向における前記第２本体部の内側に位置し、前記周方向に延在する第２先端部とを有し、前記第１ティースに隣接する、前記複数のティースの内の第２ティースと
を有し、
前記複数のスロットの数は、前記ロータの磁極数の６倍であり、
前記軸線と直交する平面において、前記ロータの回転方向における前記第１先端部の下流側は、前記回転方向における前記第１先端部の上流側よりも長く、
前記平面において、前記回転方向における前記第２先端部の下流側は、前記回転方向における前記第２先端部の上流側よりも長く、
前記平面において前記第１径方向における前記第１本体部の外側端部の中心及び前記軸線を通る直線をＬ１とし、前記平面において前記第２径方向における前記第２本体部の外側端部の中心及び前記軸線を通る直線をＬ２とし、前記平面において前記第１先端部と前記第２先端部との間の中心と前記軸線とを通る直線をＬ３とし、前記平面において前記直線Ｌ１と前記直線Ｌ３との間の角度をθ１とし、前記平面において前記直線Ｌ２と前記直線Ｌ３との間の角度をθ２としたとき、
θ１＞θ２を満たす。
【国際調査報告】
2020026431.tif 000015
2020026431.tif 000016
2020026431.tif 000017
2020026431.tif 000018